(57)【要約】【課題】  スカート部を備えた水洗便器の床面に固定する場合、固定用の螺子等の固定部材が便器本体の外側面に露出せず、外観上見栄えがよい水洗便器の固定構造を提供する。【解決手段】  外側壁と内側壁の二重壁構造のスカート部を有する水洗便器を床面に固定する水洗便器の固定構造であって、前記内側壁に固定する便器側固定部材と、床面に固定され上面に第１面ファスナーを配設した床側固定部材と、前記便器側固定部材と前記床側固定部材とを連結するための連結部材とを、備え、前記連結部材は前記第１面ファスナーと圧接して接続する第２面ファスナーを配設した第２面ファスナー配設部と、この第２面ファスナー配設部の前記第２面ファスナと反対側に一体的に設けられて前記便器側固定部材に対して近接離反可能且つ傾倒可能に支持される支持部を有し、前記第２面ファスナーが前記第１面ファスナーと対面して圧接するように前記水洗便器を床面に載置固定する。【選択図】  図１
2006249805.tif 000002
【特許請求の範囲】
【請求項１】
外側壁と内側壁の二重壁構造のスカート部を有する水洗便器を床面に固定する水洗便器の固定構造であって、前記内側壁に固定する便器側固定部材と、床面に固定され上面に第１面ファスナーを配設した床側固定部材と、前記便器側固定部材と前記床側固定部材とを連結するための連結部材とを、備え、
前記連結部材は、前記第１面ファスナーと圧接して接続する第２面ファスナーを配設した第２面ファスナー配設部と、この第２面ファスナー配設部の前記第２面ファスナと反対側に一体的に設けられて前記便器側固定部材に対して近接離間可能且つ傾倒可能に支持される支持部とを有し、前記床側固定部材を床面の所定位置に取り付け固定し、前記連結部材を支持した前記便器側固定部材を前記水洗便器に固定した後、前記第２面ファスナーが前記第１面ファスナーと対面して圧接するように前記水洗便器を床面に載置することを特徴とする水洗便器の固定構造。
【請求項２】
前記支持部が軸部材で構成しその先端から所定の長さの雄螺子部を設け、前記便器側固定部材に前記雄螺子部が螺合するナット部材を傾倒可能に配置し、前記雄螺子部とナット部材との螺合により第２面ファスナー配設部と前記便器側固定部材との距離が調整可能である特徴とする請求項１に記載の水洗便器の固定構造。
【請求項３】
前記第２面ファスナー配設部と前記便器側固定部材との間に相互に押圧力を作用させる弾性部材を配置したことを特徴とする請求項２に記載の水洗便器の固定構造。
【請求項４】
前記支持部を軸部材で構成し、前記便器側固定部材に前記軸部材を保持する球体と、この球体を回動可能に支持する球体支持部材とを配設し、前記球体に前記軸部材を挿入して嵌合する嵌合穴を設けていることを特徴とする請求項１記載の水洗便器の固定構造。
【請求項５】
前記軸部材に雄螺子部を設け、前記嵌合穴に雌螺子部を設けて、前記雄螺子部と雌螺子部の螺合代により第２面ファスナー配設部と前記便器側固定部材との距離が調整可能である特徴とする請求項４に記載の水洗便器の固定構造。
【請求項６】
前記第２面ファスナー配設部と前記便器側固定部材との間に相互に押圧力を作用させる弾性部材を配置したことを特徴とする請求項５記載の水洗便器の固定構造。
【請求項７】
前記軸部材の外周面と前記嵌合穴との間にＯリングを配設したことを特徴とする請求項５記載の水洗便器の固定構造。
【請求項８】
前記雄螺子部と雌螺子部の螺合状態を固定保持するための固定保持手段を設けたことを特徴とする請求項５記載の水洗便器の固定構造。
【発明の詳細な説明】
【技術分野】
【０００１】
本発明は、スカート部を備えた水洗便器の床面への固定構造に関する。
【背景技術】
【０００２】
従来、スカート部を備えた水洗便器の固定構造として、スカート部の内側で床に固定した固定片に対して、スカート部に貫通穴を開けて外側から螺子を貫通して固定片に螺子込んで固定している。（例えば、特許文献１参照）
この場合、水洗便器の外周面に螺子の頭部に化粧キャップをセットするが、便器外側面に化粧キャップが露出する。特に、便器本体の前方部に別体の化粧キャップが配置されると使用者の目に付きやすく、外観上の見栄えが悪いという問題があった。
【０００３】
【特許文献１】特開平９−２１１６１（図１）
【発明の開示】
【発明が解決しようとする課題】
【０００４】
そこで、本発明は、スカート部を備えた水洗便器の床面に固定する場合、固定用の螺子等の固定部材が便器本体の外側面に露出せず、外観上見栄えがよい水洗便器の固定構造を提供することを目的とする。
【課題を解決するための手段】
【０００５】
上記課題を解決するために、請求項１記載の本発明は、外側壁と内側壁の二重壁構造のスカート部を有する水洗便器を床面に固定する水洗便器の固定構造であって、前記内側壁に固定する便器側固定部材と、床面に固定され上面に第１面ファスナーを配設した床側固定部材と、前記便器側固定部材と前記床側固定部材とを連結するための連結部材とを、備え、前記連結部材は、前記第１面ファスナーと圧接して接続する第２面ファスナーを配設した第２面ファスナー配設部と、この第２面ファスナー配設部の前記第２面ファスナと反対側に一体的に設けられて前記便器側固定部材に対して近接離間可能且つ傾倒可能に支持される支持部とを有し、前記床側固定部材を床面の所定位置に取り付け固定し、前記連結部材を支持した前記便器側固定部材を前記水洗便器に固定した後、前記第２面ファスナーが前記第１面ファスナーと対面して圧接するように前記水洗便器を床面に載置することを特徴とする。
【０００６】
上記のように構成された本発明においては、水洗便器の外周面からの貫通穴を貫通するような螺子および化粧キャップが不要となるため、高意匠の水洗便器を提供することができ、第２面ファスナーは近接離間可能且つ傾倒可能となるように構成されたので、例えば便器側固定部材の組立精度により上下に位置がにばらついたとしても高さ調整が可能で、また便器側固定部材の組立精度により前後左右に傾いたとしても、第１面ファスナーに対して、平行に圧接することが可能である。
【０００７】
また、請求項２記載の本発明は、前記支持部が軸部材で構成しその先端から所定の長さの雄螺子部を設け、前記便器側固定部材に前記雄螺子部が螺合するナット部材を傾倒可能に配置し、前記雄螺子部とナット部材との螺合により第２面ファスナー配設部と前記便器側固定部材との距離が調整可能である特徴とする。
上記のように構成された本発明においては、便器側固定部材の組立精度により上下位置がばらついたとしても、支持部を回転するだけで高さ調整が容易に可能で、また、前後左右に傾いたとしても、ナット部材が便器側固定部材に対して傾倒可能なため、第１面ファスナーに対して、平行に圧接することが可能である。
【０００８】
また、請求項３記載の本発明は、前記第２面ファスナー配設部と前記便器側固定部材との間に相互に押圧力を作用させる弾性部材を配置したことを特徴とする。
このように構成された本発明においては、第２面ファスナーの高さ調整を工場で行った場合でも、施工現場までの輸送で加わる振動に対して緩み止めとなり、施工現場まで正しい高さが維持できる。
【０００９】
また、請求項４記載の本発明は、前記支持部を軸部材で構成し、前記便器側固定部材に前記軸部材を保持する球体と、この球体を回動可能に支持する球体支持部材とを配設し、前記球体に前記軸部材を挿入して嵌合する嵌合穴を設けていることを特徴とする。
このように構成された本発明においては、便器側固定部材の組立精度により前後左右に傾いたとしても、球体が便器側固定部材に対して傾倒可能なため、第１面ファスナーに対して、平行に圧接することが可能である。
【００１０】
また、請求項５記載の本発明は、前記軸部材に雄螺子部を設け、前記嵌合穴に雌螺子部を設けて、前記雄螺子部と雌螺子部の螺合代により第２面ファスナー配設部と前記便器側固定部材との距離が調整可能である特徴とする。
このように構成された本発明においては、便器側固定部材の組立精度により上下位置がばらついたとしても、軸部材を回転するだけで、高さ調整が容易に可能である。
【００１１】
また、請求項６記載の本発明は、前記第２面ファスナー配設部と前記便器側固定部材との間に相互に押圧力を作用させる弾性部材を配置したことを特徴とする。
このように構成された本発明においては、第２面ファスナーの高さ調整を工場で行った場合でも、施工現場のでの輸送で加わる振動に対して緩み止めとなり、施工現場まで正しい高さが維持できる。
【００１２】
また、請求項７記載の本発明は、前記軸部材の外周面と前記嵌合穴との間にＯリングを配設したことを特徴とする。
このように構成された本発明においては、第２面ファスナーの高さ調整を工場で行った場合でも、施工現場のでの輸送で加わる振動に対して緩み止めとなり、施工現場まで正しい高さが維持できる。
【００１３】
また、請求項８記載の本発明は、前記雄螺子部と雌螺子部の螺合状態を固定保持するための固定保持手段を設けたことを特徴とする。
このように構成された本発明においては、第２面ファスナーの高さ調整を工場で行った場合でも、施工現場のでの輸送で加わる振動に対して緩み止めとなり、施工現場まで正しい高さが維持できる。
【発明の効果】
【００１４】
本発明によれば、スカート部を備えた水洗便器を便器外周面に固定用の螺子が露出しない状態で床面に固定することができる。
【発明を実施するための最良の形態】
【００１５】
以下、図面に基づいて本発明に係る水洗便器の固定構造の実施形態を説明する。
（第１実施形態）
図１は本発明に係る第１実施形態の水洗便器の固定構造の説明図である。図２は図１に示す水洗便器を床面に載置して固定する前の状態の説明図である。
水洗便器１は、外側壁２と内側壁４の二重構造のスカート部を有して、内側壁４には貫通した取付孔４Ａが穿設されており、この取付孔４Ａを介して便器側固定部材５がターンナット１２によって内側壁４に固定されている。
便器側固定部材５には、後述する連結部材８の軸状部８Ａが挿入される上下方向に貫通した嵌合孔５Ａと、嵌合孔５Ａの中途にナット１０を遊嵌状態で配置するナット配置空間部５ｃを設けている。そして、ナット配置空間部５ｃの前記内側壁４と反対側にはナット１０をナット配置空間部５ｃ内に挿入、取り出しをするための開口部５ｃを設けている。
【００１６】
床面３には、上面に第１面ファスナー６を一体的に配設した床側固定部材７をねじ（図示せず）によって固定されている。
便器側固定部材５と床側固定部材７とを連結するための連結部材８は、軸状部８Ａと第１面ファスナー６と接続するための第２面ファスナー９を一体的に配設した第２面ファスナー支持部８ｂとからなり、軸状部８Ａに雄螺子部１１を設けている。そして、軸状部８Ａが便器側固定部材５のナット配置空間５ｃに配置したナット１０と螺合して連結部材８を便器側固定部材５に係止し、第１面ファスナー６と第２面ファスナー９とを接続させて水洗便器１を床面３に固定している。
【００１７】
次に、固定方法について説明する。
先ず、便器側固定部材５の開口部５ｂからナット１０をナット配置空間部５ｃ内に挿入する。その後、嵌合穴５Ａの下方から連結部材８の軸状部８を挿入して第２面ファスナー支持部８ｂを回しながら雄螺子部１１とナット１０を螺合させると共に、軸状部８Ａの嵌合穴５Ａ内への挿入長さを調整する。
【００１８】
次に、便器側固定部材５に連結部材８を支持した状態で内壁部４に設けた取付穴４Ａにターンナット１２を係止して、便器側固定部材５を内壁部４に固定する。この状態では図２に示すようにナット１０がナット配置空間部５ｃ内で遊嵌状態で配設されているため、連結部材８はその重心の偏りにより若干傾いている。
【００１９】
次に、第１面ファスナー６と第２面ファスナー９とが重なり合うように水洗便器１を床面３に載置し、第１面ファスナー６と第２面ファスナー９とが接続して水洗便器１が床面３に固定される。
ここで、ターンナット１２とは部材を板材に固定する場合に、裏面からの締め付けが行えないとき、表側からナット部が回転可能な部材を穴に挿入し、ボルトを締め付けるために、ナット部が回転可能な部材に挿入するとナット部が回転し、ボルトとナット部が嵌合できる部材のことである。本実施例では、ターンナットにより固定を行っているが、片側から締め付け可能な部材であれば、いずれを用いても良い。
【００２０】
上記水洗便器の固定構造によると、連結部材８の軸状部８Ａとナット１０とが螺合により連結されているので、連結部材８はナット１０に対して回転することで上下に可動し、便器側固定部材５に対して上下に可動することができる。それにより、便器側固定部材５の水洗便器１の内側壁４への取付精度により上下位置がばらついても、取付け後に容易に高さ調整することが可能である。
【００２１】
さらに、ナット１０は便器側固定部材５に設けたナット配置空間部５ｃに対してある一定のクリアランスを形成して係合しており、連結部材８はナット１０に対してクリアランスの分だけ傾倒することができるので、便器側固定部材５の水洗便器１の内側壁４への取付精度により前後左右に傾きがばらついても、水洗便器１の施工時に床側固定部材７に倣うようにナット１０が傾倒し、第１面ファスナー６と第２面ファスナー９とを平行に接続させることができ、面ファスナー同士の接続強度が大きくなる。
【００２２】
（第２実施形態）
次に、別の実施形態について説明する。図３は本発明に係る第２実施形態の水洗便器の固定構造の説明図である。
第２実施形態は第１実施形態の固定構造において、便器側固定部材５とナット１０の間に軸方向にテンションが加わるように弾性部材１３を設けたもので、弾性部材１３以外の構成については第１実施形態と同じであるので説明は省略する。図３に示すように、便器側固定部材５の下側面５ｄと連結部材８の第２面ファスナー支持部８ｂとの間に弾性部材１３（例えば、上下方向に伸び縮みするコイルばね、ゴム部材、発泡部材等）を配設している。
弾性部材１３を配設することにより、第２面ファスナー９の高さ位置調整を工場で行った場合でも、施工現場や輸送時に加わる振動に対して弾性体１３のテンションの作用によりナット１０と連結部材８の軸状部８Ａとの螺合状態の緩み止めとなり、施工現場まで第２面ファスナー９の高さ位置を維持することできる。
【００２３】
（第３実施形態）
図４は本発明に係る第３実施形態の水洗便器の固定構造の説明図である。
第３実施形態は、第１実施形態の固定構造において、便器側固定部材５に連結部材８を係止する構造をボールジョイント機構を用いた構造としたものである。図４に示すように、便器側固定部材５には、球体１４と、球体１４を受けて支持する第１球体支持部１５と、球体１４を受容した状態で球体１４の離脱を防止して支持するための第２球体支持部１６の構成を備えている。球体１４、第１球体支持部１５、第２球体支持部１６以外の構成については、第１実施形態と同じであるので説明を省略する。
【００２４】
球体１４はその中心を通る貫通した嵌合穴１４Ａを設けており、嵌合孔１４Ａの内側面に連結部材８の雄螺子部１１が螺合する雌螺子部１４ｂを形成している。また、球体１４は第１球体支持部１５と第２球体保持部１６に対して、球体１４の中心の周りに全方位に回動可能に支持されている。
【００２５】
上記第３実施形態の固定構造によると、連結部材８の雄螺子部１１、球体１４の雌螺子部１４ｂに螺合接続されているので、連結部材８は球体１４に対して上下に可動することができる。したがって、連結部材８は便器側固定部材５に対して上下に可動することができることになり、便器側固定部材５の水洗便器の内側壁４への取付精度により上下位置がばらついても、取付け後に調整することが可能である。
【００２６】
さらに、連結部材８は球体１４を介して便器側固定部材に係止しているので、前後左右に傾倒でき便器側固定部材５の水洗便器１の内側壁４への取付精度により前後左右に傾きがばらついても水洗便器の施工時に第１面ファスナー６が第２面ファスナー９に倣うように傾倒でき、第１面ファスナー６と第２面ファスナー９が平行に接続され大きな接続強度が確保できる。
【００２７】
（第４実施形態）
図５は本発明に係る第４実施形態の水洗便器の固定構造の説明図である。
この第４実施形態は第３実施形態の固定構造において、便器側固定部材５と球体１４の間に軸方向にテンションが加わるように弾性部材１３を設けたもので、弾性部材１３以外の構成については第３実施形態と同じであるので説明を省略する。図５に示すように、便器側固定部材５の下側面５ｄと連結部材８の第２面ファスナー支持部８ｂとの間に弾性部材１３を介設している。
弾性部材１３を介設することにより、第２面ファスナー９の高さ位置調整を工場で行った場合でも、施工現場や輸送に加わる振動に対して弾性体１３のテンションの作用により球体１４と連結部材８の軸状部８Ａとの螺合状態の緩み止めとなり、施工現場まで第２面ファスナー９の高さ位置を維持することできる。
【００２８】
（第５実施形態）
図５は本発明に係る第５実施形態の水洗便器の固定構造の説明図である。この第５実施形態は第４実施形態の固定構造において、連結部材８の軸状部８Ａの外周面と球状１４の嵌合孔１４Ａの内周面との間にＯリング１９を配設したものである。
上記第４実施形態と同様に第２面ファスナー９の高さ調整を工場で行った場合でも、施工現場や輸送で加わる振動に対してＯリング１９の摩擦力およびテンションの作用により球体１４と連結部材８の軸状部８Ａとの螺合状態の緩み止めとなり、施工現場まで第２面ファスナー９の高さ位置を維持することできる。
【００２９】
（第６実施形態）
図７は本発明に係る第６実施形態の水洗便器の固定構造の説明図である。
この第６実施形態は第３実施形態の固定構造において、球体１４は便器側固定部材５の上面を貫通するように上部に突出部２１を設け、連結部材８の上部外周の雄螺子部１１は球体１４の突出部２１よりさらに上方まで突出させている。そして、球体１４の突出部２２にはナット２０を螺合して球体１４の突出部２１に当接するように配設している。
【００３０】
図７に示すように、便器側固定部材５の水洗便器１の内側壁４への取付精度がばらついても、取付け後に容易に高さ調整することが可能であり、なおかつ、高さ調整を行った後に、ナット２０を締め付けることにより、第２面ファスナー９の高さ調整を工場で行った場合でも、施工現場や輸送で加わる振動に対してナット２０の締め付け力により球体１４と連結部材８の軸状部８Ａとの螺合状態の緩み止めとなり、施工現場まで正しい高さが維持できる。本実施形態ではナット２０により緩み止めとしたが、球体１４の側面より内面に雌螺子を有する貫通穴を開けて、連結部材８に対して球体１４の半径方向より螺子を当接させて緩み止め構造としてもよい。
【００３１】
上記の実施形態においては、便器側固定部材５の取り付け固定にターンナットを用いているが他の手段を利用しても良い。また、一般的に面ファスナーは粘着剤によりそれを支持する部材に接着してことが多いが、前記床側固定部材７、第２面ファスナー保持部８ｂと一体で構成しても良い。
【００３２】
また、上記第１実施形態では、ナット１０は便器側固定部材５のナット配置空間部５ｃに対して所定のクリアランスを設けて係合しているが、逆にクリアランスを持たずに係合させナット１０を弾性変形可能な材質、例えば弾性変形可能な薄い平板で構成することで、上記と同様の効果得られる。
【図面の簡単な説明】
【００３３】
【図１】第１実施形態の水洗便器の固定構造の説明図。
【図２】第１実施形態の水洗便器を床面に載置して固定する前の状態の説明図。
【図３】第２実施形態の水洗便器の固定構造の説明図。
【図４】第３実施形態の水洗便器の固定構造の説明図。
【図５】第４実施形態の水洗便器の固定構造の説明図。
【図６】第５実施形態の水洗便器の固定構造の説明図。
【図７】第６実施形態の水洗便器の固定構造の説明図。
【符号の説明】
【００３４】
１…水洗便器
２…外側壁
３…床面
４…内側壁
４Ａ…取付孔
５…便器側固定部材
５Ａ…嵌合孔
５ｂ…開口部
５ｃ…ナット配置空間部
６…第１面ファスナー
７…床側固定部材
８…連結部材
８Ａ…軸状部
８ｂ…第２面ファスナー支持部
９…第２面ファスナー
１０…ナット
１１…雄螺子部
１２…ターンナット
１３…弾性部材
１４…球体
１４Ａ…嵌合穴
１４ｂ…雌螺子部
１５…第１球体支持部
１６…第２球体支持部
１９…Ｏリング
２０…ナット
２１…突出部
【図１】
2006249805.tif 000003
【図２】
2006249805.tif 000004
【図３】
2006249805.tif 000005
【図４】
2006249805.tif 000006
【図５】
2006249805.tif 000007
【図６】
2006249805.tif 000008
【図７】
2006249805.tif 000009